(57)【特許請求の範囲】
【請求項１】
走行車両（２）の走行車台（３）の前部且つ上側に種子付作物を刈り取る刈取装置（４）を設け、該刈取装置（４）で刈り取った種子付作物を後方へ移送する送風ファン（１５，１５）を設け、該送風ファン（１５，１５）によって移送される種子付作物を収納する収納手段（６）を前記走行車台（３）の上側に設けた種子付作物用収穫機において、
前記走行車台（３）の前部に上下移動自在な支持機構（１２）を前方に突出させて設け、該支持機構（１２）の前端下部に刈取装置（４）を設け、前記刈取装置（４）の上側で且つ左右両側に種子付作物を刈取装置（４）に案内すると共に刈り取った種子付作物を前記収納手段（６）に案内する案内ガイド（１４，１４）を設け、該左右両側の案内ガイド（１４，１４）の外側で且つ支持機構（１２）の前部に送風ファン（１５，１５）をそれぞれ設け、前記支持機構（１２）を上下移動させて刈取装置（４）と送風ファン（１５，１５）を上下移動させる上下シリンダ（１３）を設け、前記走行車台（３）の後部で且つ一側方に操作装置（９）を備えた操作ハンドル（８）を機体後方に突出させて設けたことを特徴とする種子付作物用収穫機。
【請求項２】
前記収納手段（６）である収容袋（６ａ）を取り付ける取付杆（６ｂ）を、走行車台（３）の前側に平面視右側に寄せて配置したことを特徴とする請求項１に記載の種子付作物用収穫機。
【発明の詳細な説明】
【０００１】
【発明の属する技術分野】
この発明は、種子付作物を収穫する走行車両の走行車台の前部に刈取装置、及び送風ファンを設けると共に、走行車台の上側に収納手段等を設けた種子付作物用収穫機である。
【０００２】
【従来の技術】
圃場に植え付けた作物の種子を取る種子付作物の収穫作業は、この作物が、例えば、玉ねぎであったとすると、この玉ねぎである種子付作物の稈の所定位置を、作業者が鎌等で刈取りする、人手による刈取り収穫作業であった。
【０００３】
【発明が解決しようとする課題】
玉ねぎである種子付作物の稈の収穫作業は、人手によって鎌等で刈取りを行うものであったため、作業者の労力が大きくなるとともに、作業時間が長時間化する問題がある。
また、種子付作物の稈が刈取装置から逃げ、種子付作物が刈り残される問題がある。
さらに、種子付作物が刈取装置で刈り取られた後、収納部材に入らない問題がある。
そして、種子付作物を収納する収納部材が作業者の視界を悪くし、機体の操縦や収穫作業の能率を低くする問題がある。
本発明は、この問題を解消しようとするものである。
【０００４】
【課題を解決するための手段】
請求項１に記載の発明は、走行車両（２）の走行車台（３）の前部且つ上側に種子付作物を刈り取る刈取装置（４）を設け、該刈取装置（４）で刈り取った種子付作物を後方へ移送する送風ファン（１５，１５）を設け、該送風ファン（１５，１５）によって移送される種子付作物を収納する収納手段（６）を前記走行車台（３）の上側に設けた種子付作物用収穫機において、前記走行車台（３）の前部に上下移動自在な支持機構（１２）を前方に突出させて設け、該支持機構（１２）の前端下部に刈取装置（４）を設け、前記刈取装置（４）の上側で且つ左右両側に種子付作物を刈取装置（４）に案内すると共に刈り取った種子付作物を前記収納手段（６）に案内する案内ガイド（１４，１４）を設け、該左右両側の案内ガイド（１４，１４）の外側で且つ支持機構（１２）の前部に送風ファン（１５，１５）をそれぞれ設け、前記支持機構（１２）を上下移動させて刈取装置（４）と送風ファン（１５，１５）を上下移動させる上下シリンダ（１３）を設け、前記走行車台（３）の後部で且つ一側方に操作装置（９）を備えた操作ハンドル（８）を機体後方に突出させて設けたことを特徴とする種子付作物用収穫機の構成としたものである。
【０００５】
請求項２に記載の発明は、前記収納手段（６）である収容袋（６ａ）を取り付ける取付杆（６ｂ）を、走行車台（３）の前側に平面視右側に寄せて配置したことを特徴とする請求項１に記載の種子付作物用収穫機としたものである。
【０００６】
【発明の作用】
請求項１に記載の発明は、刈取装置（４）の上側で且つ左右両側に案内ガイド（１４，１４）を設けたことにより、この案内ガイド（１４，１４）が刈取装置（４）に種子付作物を案内するとともに、刈取装置（４）で刈り取った種子付作物を収納手段（６）に案内する。
また、案内ガイド（１４，１４）の外側に送風ファン（１５，１５）を設けたことにより、この送風ファン（１５，１５）が発生させる風で種子付作物を後方に送って収納手段（６）に収納することができる。
そして、上下シリンダ（１３）を作動させると上下移動する支持機構（１２）の前部に刈取装置（４）と送風ファン（１５，１５）を取り付けたことにより、刈り取る種子付作物の稈長に合わせて刈取装置（４）及び送風ファン（１５，１５）の作用高さを設定することができる。
請求項２に記載の発明は、収容袋（６ａ）を取り付ける取付杆（６ｂ）を走行車台（３）の前側に平面視右側に寄せて配置したことにより、収容袋（６ａ）が操作ハンドル（８）の後側で操縦を行なう作業者の視界を遮らないよう、走行車台（３）の左上側には収容袋（６ａ）を載置しない構成とすることができる。
【０００７】
【発明の効果】
請求項１に記載の発明においては、案内ガイド（１４，１４）を設けたことにより、刈取装置（４）に種子付作物を案内することができるので、種子付作物が確実に刈り取られる。
また、刈取装置（４）で刈り取った種子付作物を収納手段（６）に案内することができるので、種子付作物が確実に収容される。
そして、送風ファン（１５，１５）を設けたことにより、送風ファン（１５，１５）が発生させる風で種子付作物を収納手段（６）に移送することができる。
さらに、上下シリンダ（１３）を作動させると上下移動する支持機構（１２）の前部に刈取装置（４）と送風ファン（１５，１５）を取り付けたことにより、刈り取る種子付作物の稈長に合わせて刈取装置（４）及び送風ファン（１５，１５）の作用高さを設定することができるので、後工程での種子付作物の結束が容易になると共に、結束した束の乾燥作業が容易になり、作業能率が向上する。
そして、種子付作物の収穫作業を機械化することにより、種子付作物の収穫作業にかかる労力を軽減することができると共に、短時間で多量の種子付作物を収穫することができる。
【０００８】
請求項２に記載の発明においては、請求項１記載の発明の効果に加えて、収容袋（６ａ）を取り付ける取付杆（６ｂ）を、走行車台（３）の前側に平面視右側に寄せて配置したことにより、走行車台（３）の左上側には収容袋（６ａ）を載置しない構成とすることができるので、操作ハンドル（８）の後側で操縦を行なう作業者の視界が妨げられることが防止され、種子付作物を正確に刈り取って収穫することができると共に、機体の操作が容易になる。
【０００９】
【００１０】
【発明の実施の形態】
以下、本発明の一実施例を図面に基づいて説明する。種子付用作物収穫機１は、走行車両２の走行車台３の前部に刈取装置４、及び移送装置５を設けると共に、上部に収納手段６を設けた構成である。この種子付用作物収穫機１を主に図示して説明する。
【００１１】
前記種子付用作物収穫機１は、図１、及び図２で示す如く走行車両２と、収穫装置１１等によりなる構成である。この走行車両２の走行車台３の下側には、土壌面を走行する左右一対の走行クローラ７ａを張設した走行装置７を配設した構成である。又、走行車台３の後方部の一方側には、後方へ突出させた操作ハンドル８を設け、この操作ハンドル８の後端部側には、操作装置９を設け、この操作装置９の前部で、走行車台３の後端部側には、エンジン１０を載置した構成である。
【００１２】
前記種子付用作物収穫機１の収穫装置１１は、図１、及び図２で示す如く走行車台３の前部には、前方へ突出させて井桁形状のリンク構成で、上下移動自在な支持機構１２を設け、この支持機構１２は油圧駆動による上下シリンダ１３の作動により、上下移動する構成である。この支持機構１２の前端下部には、圃場へ植付けた作物が、例えば、玉ねぎであったとすると、この玉ねぎである種子付作物の種子付作物稈の上下方向の所定位置を切断すべく、バリカン方式の左右往復移動する刈刃４ａと、固定した受刃４ｂ等とよりなる刈取装置４を設けた構成である。
【００１３】
前記刈取装置４の上側の左右両側には、刈取る種子付作物を、この刈刃装置４へ案内、及び刈取り済み種子付作物稈を、後述する収納手段６へ案内する平面視く字形状の案内ガイド１４を設けた構成である。
前記左右両側の案内ガイド１４の外側には、送風フアン１５，１５で構成した移送装置５を設け、この各送風フアン１５の吐出口１５ａは、各案内ガイド１４の内側へ突出させて設け、この各送風フアン１５から発生する起風を後方部へ送風して、刈取り済み種子付作物稈を、後述する走行車台３の上側に載置した収穫手段６内へこの送風によって送風移送し、この収穫手段６内へ一時貯留する構成である。
【００１４】
前記走行車両２の走行車台３の前側に設けた支持機構１２の前部には、刈刃装置４、及び移送装置５の各送風フアン１５を設けると共に、走行車台３の上側には、刈取り済み種子付作物稈を貯留する収納手段６を設けた収穫装置１１と、走行車両２とにより、種子付用作物収穫機１を構成したことにより、種子付作物の収穫作業を機械化することができ、手間と、労力が少なくなり、又、短時間の作業時間で、多量の種子付作物を収穫することができる。
【００１５】
又、前記刈取装置４、及び移送装置５の各送風フアン１５を上下シリンダ１３の作動により、上下移動する支持機構１２に設けたことにより、種子付作物稈の稈長に応じた長さで収穫作業ができる。これによって、例えば、後工程である種子付作物稈の結束が容易であったり、結束した束の乾燥作業が容易にできる。
【００１６】
前記走行車両２の走行車台３に載置する収納手段６は、図１、及び図２で示す如く、樹脂材等よりなる大型の収容袋６ａを形成し、入口部には、紐を設けて、締付けができる構成である。前記収納手段６である収容袋６ａは、走行車台３の上側に載置するが、この載置位置は、図１、及び図２で示す如く走行車台３の後方部の操作ハンドル８の後側で収穫作業運搬操作する運転操縦者の運転操作の視界の妨げにならないように、運転操縦者の前方部には、載置できないような構成である。このために、収納手段６である収容袋６ａを取付けする取付杆６ｂは、平面視右側へ寄せて設けた構成である。
【００１７】
これにより、運転操縦者の運転操作の視界の妨げにならないように、運転操縦者の前方部に位置して、走行車台３の上側には、収納手段６の収容袋６ａは載置しないことにより、収穫運搬作業を容易に行うことができると共に、正確な収穫作業ができる。
【００１８】
収穫した玉ねぎである種子付作物稈は、図２、及び図３で示す如く作業台１９上へ供給する構成である。この供給された種子付作物稈の頭部の種子付部は、作業台１９の一方側へ上方へ突出させて設けた頭揃板１９ａへ当接させて頭揃えを行う構成である。
【００１９】
頭揃え済みの所定量の種子付作物稈は、前記作業台１９上側に設けた結束装置２０部へ供給され、この結束装置２０で所定束径に結束さける。結束済み種子付作物稈は、作業台１９の上側で結束装置２０の横側に設けた切断装置２１へ供給され、この切断装置２１で所定位置が切断される。切断済みの種子付作物稈は、作業台１９の横側に設けた収容箱２２内へ供給される。
【００２０】
結束済みで切断済み種子付作物稈は、例えば、棒等に掛けて乾燥する構成である。玉ねぎである種子付作物の収穫作業工程を、図５で示して説明すると、種子付用作物収穫機１で刈取りされ、刈取り済みで、収納手段６の収容袋６ａ内へ収容された種子付作物稈は、例えば、トラック等により、作業場（納屋）へ運搬される。運搬された収納袋６ａより、種子付作物稈を取り出し、簡単に首揃えを行う。首揃え済み種子付作物稈を作業台１９へ供給して、この作業台１９の頭揃板１９ａで再度頭揃えを行う。その後に結束装置２０、及び切断装置２１で結束、及び切断を行ない収容箱２２へ供給され、一時貯留する。この貯留した種子付作物稈は、棒等へはさが掛けして乾燥する。
【００２１】
前記移送装置５は、図６、及び図７で示す如く所定の間隔を設けて、上下二段に前・後プーリ１６ａ，１６ｂを回動自在に左右両側へ軸支して設け、この各前・後プーリ１６ａ，１６ｂには、掻込ラグ１７ａを所定間隔に装着した各移送ベルト１７を略水平状態に掛け渡した構成である。この左右両側の移送ベルト１７，１７の前端部は、走行車台３の前端部から、所定距離前方へ突出した位置へ位置させると共に、平面視略八字形状に形成して、張設した構成である。内側の前後方向略中間位置には、各テンションプーリ１６ｃを設けた構成である。左右両側で上下二段に設けた各移送ベルト１７，１７間で種子付作物は、掻込みされて刈取りされると共に、刈取りされた種子付作物稈は、挟持移送される構成である。
【００２２】
前記移送装置５の左右両側の下側の各移送ベルト１７，１７の下側には、井桁形状のリンク構成で上下移動自在な支持機構１２の先端下部には、図６、及び図７で示す如く圃場へ植付けた、玉ねぎである種子付作物の種子付作物稈の上下方向の所定位置を切断すべく、バリカン方式の左右往復移動する刈刃４ａと、固定した受刃４ｂ等よりなる刈取装置４を設けた構成である。支持機構１２は油圧駆動による上下シリンダ１３の作動により、上下移動する構成である。
【００２３】
前記左右両側で上下二段に張設した各移送ベルト１７間で、挟持移送される刈取り種子付作物稈は、走行車台３の上側へ載置した収容箱１８内へ供給されて、一時貯留される構成である。これにより、刈取りする種子付作物は、左右両側で上下二段に設けた各移送ベルト１７間で、種子付作物は掻込み、及び刈取りされた種子付作物稈は挟持移送されることにより、確実に掻込み、及び刈取り後の挟持移送が確実に行われる。
【図面の簡単な説明】
【図１】  種子付用作物収穫機の全体側面図
【図２】  種子付用作物収穫機の全体平面図
【図３】  結束装置、及び切断装置等の全体側面図
【図４】  結束装置、及び切断装置等の全体正面図
【図５】  玉ねぎ（種子付作物）収穫作業工程図
【図６】  他の実施例を示す図で、種子付用作物収穫機の全体側面図
【図７】  他の実施例を示す図で、種子付用作物収穫機の全体平面図
【符号の説明】
２      走行車両
３      走行台車
４      刈取装置
５      移送装置
６      収納手段
６ａ 収容袋
６ｂ 取付杆
８ 操作ハンドル
９ 操作装置
１２ 支持機構
１３ 上下シリンダ
１４ 案内ガイド
１５ 送風ファン
【図１】
0004734785.tif 000002
【図２】
0004734785.tif 000003
【図３】
0004734785.tif 000004
【図４】
0004734785.tif 000005
【図５】
0004734785.tif 000006
【図６】
0004734785.tif 000007
【図７】
0004734785.tif 000008